(57)【要約】 【課題】  正規深さ以上に嵌合が進行するのを防止する。【解決手段】  雄ハウジング１１には、雌ハウジング２１を嵌合可能なフード部１４が設けられ、その前端部には、ロック爪部１６が設けられている。雌ハウジング２１の外周面のうち上面には、フード部１４内に正規深さまで嵌合されたときにロック爪部１６に対して係止することで、両ハウジング１１，２１を嵌合状態に保持可能なロックアーム４５が設けられている。雌ハウジング２１の外周面のうち下面には、両ハウジング１１，２１が正規深さまで嵌合されたときに、フード部１４に突き当たることで、それ以上の嵌合の進行を規制可能なストッパ部５２が設けられている。【選択図】  図１９
2005327614.tif 000002
【特許請求の範囲】
【請求項１】
互いに嵌合可能な一対のコネクタハウジングのうち、一方のコネクタハウジングには、他方のコネクタハウジングを嵌合可能なフード部が設けられ、前記他方のコネクタハウジングの外周面には、正規深さまで嵌合されたときに前記フード部に設けられたロック部に対して係止することで、両コネクタハウジングを嵌合状態に保持可能なロックアームが設けられており、
前記他方のコネクタハウジングの外周面には、前記両コネクタハウジングが正規深さまで嵌合されたときに、前記フード部に突き当たることで、それ以上の嵌合の進行を規制可能なストッパ部が設けられていることを特徴とするコネクタ。
【発明の詳細な説明】
【技術分野】
【０００１】
本発明は、コネクタに関する。
【背景技術】
【０００２】
従来、雄ハウジングのフード部内に雌ハウジングを嵌合するようにしたコネクタの一例として下記特許文献１に記載されたものが知られている。このものは、雄ハウジングには、筒状のフード部が設けられるとともにその前端部には、内方へ突出するロック部が設けられるのに対し、雌ハウジングには、雌ハウジングがフード部内に正規深さまで嵌合されたときにロック部に対して係止することで両ハウジングを嵌合状態に保持可能とされる片持ち状のロックアームが設けられている。
【特許文献１】特開平９−１５３３８６号公報
【発明の開示】
【発明が解決しようとする課題】
【０００３】
ところで、通常フード部の長さ寸法は、雌ハウジングが正規深さまで嵌合したときに両ハウジングの嵌合面同士が当接するような大きさに設定されている。
ところが、例えば雄ハウジング側と雌ハウジング側とで製造するメーカーが異なる場合には、フード部の長さ寸法が上記した通常よりも長く設定される可能性がある。その場合には、嵌合作業時に雌ハウジングが正規深さからさらに奥深くへと進入させてしまうおそれがあり、そうなると両ハウジングに設けた端子金具同士の接続深さが深くなり過ぎて端子金具が変形するなど悪影響が及ぶ可能性がある。
本発明は上記のような事情に基づいて完成されたものであって、正規深さ以上に嵌合が進行するのを防止することを目的とする。
【課題を解決するための手段】
【０００４】
上記の目的を達成するための手段として、請求項１の発明は、互いに嵌合可能な一対のコネクタハウジングのうち、一方のコネクタハウジングには、他方のコネクタハウジングを嵌合可能なフード部が設けられ、前記他方のコネクタハウジングの外周面には、正規深さまで嵌合されたときに前記フード部に設けられたロック部に対して係止することで、両コネクタハウジングを嵌合状態に保持可能なロックアームが設けられており、前記他方のコネクタハウジングの外周面には、前記両コネクタハウジングが正規深さまで嵌合されたときに、前記フード部に突き当たることで、それ以上の嵌合の進行を規制可能なストッパ部が設けられている構成としたところに特徴を有する。
【発明の効果】
【０００５】
＜請求項１の発明＞
フード部が他方のコネクタハウジングに適合した長さよりも長く形成される場合があり、その場合には、他方のコネクタハウジングが正規深さよりもさらに奥深くまで進入するのが許容される可能性がある。ところが、本発明によれば、他方のコネクタハウジングが正規深さに達したところでフード部に対してストッパ部が突き当たり、それ以上の嵌合の進行が規制される。しかも、ストッパ部は、ロックアームではなくて他方のコネクタハウジングの外周面に設けられているから、他方のコネクタハウジングがフード部内に過度に進入する事態を確実に防ぐことができる。
【発明を実施するための最良の形態】
【０００６】
＜実施形態１＞
本発明の実施形態１を図１ないし図１９によって説明する。この実施形態１では、図１０に示すように、互いに嵌合可能な一対のコネクタのうち、雄コネクタ１０が箱型のケースＣの壁面に設けられた開口ＣＨに貫通した状態で保持されるとともにケースＣ内に収容された基板Ｋに対して取り付けられるのに対し、雌コネクタ２０が上記雄コネクタ１０に対してケースＣ外から嵌合されるものを示す。なお、以下では両コネクタ１０，２０における嵌合面側を前方とし、また上下方向については図１や図１０を基準とする。
【０００７】
雄コネクタ１０は、図１及び図１０に示すように、合成樹脂製の雄ハウジング１１と、雄ハウジング１１に装着される複数本（６本）の雄端子金具１２とから構成されている。雄ハウジング１１は、雄端子金具１２を保持する端子保持部１３と、端子保持部１３から前方へ突出するフード部１４とから構成されている。端子保持部１３には、後方から雄端子金具１２を挿入可能な端子挿入孔１３ａが上下２段、幅方向に３つずつ並んで設けられている。雄端子金具１２は、全体が側方から見て略Ｌ字型に屈曲した形状とされており、水平部分におけるフード部１４内に突出する端部が相手の雌端子金具２２と導通接続可能なコネクタ接続部１２ａとされるのに対し、垂直部分における端部が基板Ｋの孔部に挿入されて図示しない導電路に対して半田により電気的に接続される基板接続部１２ｂとされている。フード部１４は、前方へ開口する略角筒状に形成されており、その内部には前方から雌コネクタ２０が嵌合可能とされている。フード部１４のうち上側部分は、他の部分よりも幅狭に形成されるとともに、このうち上壁１５は、その内面の両側端位置に雌コネクタ２０の両保護壁４９を受け入れ可能な受け入れ溝部１５ａが一対形成されている都合上、両受け入れ溝部１５ａに対応する両側端部よりもその間の部分の方が低く形成されている。またフード部１４の上壁１５は、他の周壁よりも前端位置が後側に引っ込んだ設定とされる。フード部１４の下壁における両側端位置には、雌コネクタ２０のガイドリブ５０を受け入れ可能なガイド溝部１４ａが一対形成されている。
【０００８】
雌コネクタ２０は、図３及び図７に示すように、合成樹脂製の雌ハウジング２１と、雌ハウジング２１内に収容される複数本（６本）の雌端子金具２２と、雌ハウジング２１の前面側に装着されるフロントリテーナ２３とから構成されている。雌ハウジング２１は、略ブロック状に形成されるとともに、後方から雌端子金具２２を挿入可能なキャビティ２４が上下２段、幅方向に３室ずつ並んで設けられている。各キャビティ２４の前端には、挿入される雌端子金具２２を前止まり可能な前壁２５が設けられている。各キャビティ２４の下面側には、雌端子金具２２に対して係止可能なランス２６が設けられている。ランス２６は、片持ち状に形成されるとともに上下方向（雌端子金具２２の挿抜方向と交差する方向）に沿って撓み変形可能とされ、撓み変形時には下方の撓み空間２７内に退避するようになっている。また雌端子金具２２は、略箱型をなす本体部２２ａと、電線Ｗの端末に接続されるバレル部２２ｂとを備えており、このうち本体部２２ａの下壁には、ランス２６が進入可能な係止孔（図示せず）が開口して設けられ、その孔縁にランス２６が係止可能とされる。また本体部２２ａ内には、雄端子金具１２に対して弾性接触可能な弾性接触片（図示せず）が設けられている。
【０００９】
雌ハウジング２１の前面及び両側面は、前方からフロントリテーナ２３を装着できるよう所定形状に切欠されている。詳しくは、雌ハウジング２１の前面には、各キャビティ２４の前壁２５の一部を残しつつ各キャビティ２４及び各撓み空間２７に連通する形態の切欠部２８が形成されている。この切欠部２８により、上段側の各キャビティ２４の前壁２５は、下半分が除去されて上半分が残され、下段側の各キャビティ２４の前壁２５は、下半分と、上半分のうちの前半部分とが除去されて上半分のうちの後半部分が残されており、除去された部分がフロントリテーナ２３側に設けられている。残された前壁２５には、雄端子金具１２を挿通可能なタブ挿通口２９がそれぞれ前後に貫通して設けられている。このうち上段側のタブ挿通口２９の前縁には、雄端子金具１２の挿通動作を案内可能とされる略擂鉢状をなすタブ案内面３０が周設されている。一方、下段側のタブ挿通口２９の前縁には、次述するフロントリテーナ２３側のタブ案内面４２に引き続いて雄端子金具１２の挿通動作を案内可能な補助案内面３１が周設されている。また切欠部２８には、上下のキャビティ２４間に位置するとともにフロントリテーナ２３のガイド板３９を挿入可能なガイド凹部３２が含まれている。一方、雌ハウジング２１の両側面には、図３及び図５に示すように、所定の高さ範囲にわたって凹部３３がそれぞれ形成されており、この凹部３３には、フロントリテーナ２３を所定位置に保持するための仮係止位置用保持突部３４と本係止位置用保持突部３５とが前後・上下にずれた位置に設けられている。
【００１０】
フロントリテーナ２３は、合成樹脂製とされており、図６及び図７に示すように、前板３６と、前板３６の両側端から後方へ延出する縦長な一対の側板３７と、前板３６の後面から後方へ突出する横長な一対の撓み規制部３８と、前板３６の後面のうち両撓み規制部３８の間の位置から後方へ延出する横長なガイド板３９とから構成されている。前板３６は、雌ハウジング２１の切欠部２８に対して嵌合可能とされており、雌ハウジング２１側の前壁２５に整合可能な各キャビティ２４の前壁４０を有している。詳しくは、前壁４０は、雌ハウジング２１における上段側の各キャビティ２４の前壁２５の下半分と、下段側の各キャビティ２４の前壁２５の下半分、及び上半分のうちの前半部分とからなる。また前壁４０には、雌ハウジング２１側のタブ挿通口２９に整合可能とされる位置にそれぞれタブ挿通口４１が前方へ開口して設けられている。各タブ挿通口４１の前縁には、雄端子金具１２の挿通動作を案内可能とされる略擂鉢状のタブ案内面４２が周設されている。また各タブ挿通口４１の周縁のうち下部には、ランス２６を解除操作するための治具（図示せず）を前方から挿入可能とされる治具挿入口４３がタブ挿通口４１に連通して形成されている。
【００１１】
側板３７は、雌ハウジング２１の両側面に設けた凹部３３に差し込まれるようになっており、その内面（雌ハウジング２１との対向面）には、前方へ開口するとともに仮係止位置用保持突部３４及び本係止位置用保持突部３５が進入可能な係止溝部４４が設けられている。この係止溝部４４の後縁部が、雌ハウジング２１の仮係止位置用保持突部３４と本係止位置用保持突部３５とのいずれかに係止されることで、フロントリテーナ２３を次述する仮係止位置（図８）と本係止位置（図１１）との前後２位置に選択的に保持可能とされる。また側板３７は、凹部３３に差し込まれた状態では、その外面が雌ハウジング２１の外側面と略面一状をなす。
【００１２】
両撓み規制部３８は、雌ハウジング２１における上下段の各撓み空間２７に対応した位置に配されている。また撓み規制部３８の両側端部は、両側板３７の内面に連結されて補強が図られている。そして、撓み規制部３８は、フロントリテーナ２３が雌ハウジング２１に対して仮係止位置に装着された状態では、図７及び図９に示すように、撓み空間２７の前方に退避していてランス２６の撓み変形、すなわち雌端子金具２２のキャビティ２４への挿抜動作を許容するのに対し、フロントリテーナ２３が本係止位置に装着された状態では、図１０に示すように、撓み空間２７内に進入してランス２６の撓み変形を規制できるようになっている。この本係止位置では、フロントリテーナ２３側と雌ハウジング２１側との前壁２５，４０が前後方向について整合・合致する。本係止位置では、共に樹脂成形される雌ハウジング２１とフロントリテーナ２３との間で生じる寸法誤差が公差範囲の最大値だった場合でも、下段の補助案内面３１は、その前端がフロントリテーナ２３のタブ案内面４２の後端と径方向についてほぼ同じ位置に配され、案内機能を発揮できるような範囲に形成されている。また本係止位置では、フロントリテーナ２３の前端面と雌ハウジング２１の前端面とが略面一状をなし、ここが雄コネクタ１０との嵌合面２０ａとされる。なおガイド板３９は、雌ハウジング２１のガイド凹部３２に対して差し込まれることで、フロントリテーナ２３の前後の移動をガイドできるようになっている。
【００１３】
ところで、雌ハウジング２１の外周面のうち上面における幅方向略中央には、図３、図４及び図７に示すように、雄ハウジング１１と嵌合したときに両ハウジング１１，２１を嵌合状態に保持するためのロックアーム４５が設けられている。ロックアーム４５は、片持ち状をなす一対のアーム部４６と、両アーム部４６の途中部分を連結する係止部４７と、両アーム部４６の後端部を連結する操作部４８とから構成されている。両アーム部４６は、幅方向について互いに所定の間隔を空けてほぼ平行に形成されており、雌ハウジング２１の前端位置に基端部を有するとともにこの基端部を支点として上下方向（嵌合・離脱方向である前後方向と交差する方向）に沿って弾性変形可能とされている。係止部４７には、次述する雌コネクタ２０のロック爪部１６が係止可能とされており、その係止面である後面は、上下方向に沿ってほぼ真っ直ぐに形成され、また係止部４７の前面は、後方へ向かって上り勾配をなすテーパ状に形成されている。係止部４７の上下面の高さ位置は、アーム部４６のそれとほぼ面一状になるよう設定されている。また操作部４８は、上方から押圧操作が可能とされ、これによりロックアーム４５を強制的に弾性変形させることが可能とされる。雌ハウジング２１の上面におけるロックアーム４５の両側方位置には、一対の保護壁４９が突設されている。両保護壁４９は、ロックアーム４５よりも高く形成されている。なお雌ハウジング２１の下面における両側端位置には、前後方向に沿って延出する一対のガイドリブ５０が突設されている。また雌ハウジング２１の下面における後端位置には、幅方向に沿って延出するとともに両ガイドリブ５０に連結される指掛け部５１が突設されている。
【００１４】
これに対し、雄ハウジング１１のフード部１４における上壁１５には、図１及び図１０に示すように、上記したロックアーム４５が係止可能なロック爪部１６が設けられている。ロック爪部１６は、フード部１４の上壁１５の前端位置で且つ幅方向略中央位置に配されており、上壁１５の内面から内方へ突出して形成されている。ロック爪部１６のうち前面は、前方へ向かって上り勾配をなし、ロックアーム４５の係止部４７の前面に沿うようなテーパ状に形成されるのに対し、係止部４７との係止面である後面は、前方へ向かって上り勾配をなす逆テーパ状（オーバーハング状）に形成されている。このロック爪部１６の幅寸法は、ロックアーム４５の両アーム部４６間の間隔よりもやや小さく設定されている。このロック爪部１６の後側には、ロックアーム４５の係止部４７が進入可能なロック進入空間１７が確保されており、このロック進入空間１７は、フード部１４の上壁１５を上方、つまり前後方向と略直交（交差）する方向に沿って外部に開口する孔状に形成されている。このロック進入空間１７は、雄ハウジング１１を樹脂成形する際に上方へ型抜きされる金型によって成形されている。このようにロック進入空間１７は、フード部１４を上方に開口しており、端子保持部１３を前後に貫通する形態とされていないので、ケースＣ内に外部の水などが浸入するのを防ぐことができるとともに、外観上も良好となる。またロック進入空間１７は、図２に示すように、上方から見て概ね四角形に形成されている。
【００１５】
そして、フード部１４の上壁１５のうちロック進入空間１７の後側には、図１０及び図１２に示すように、補強リブ１８が設けられている。補強リブ１８は、フード部１４の上壁１５の内面から内方へ突出するとともに、前方のロック爪部１６と対向するように形成されている。さらに補強リブ１８は、前後方向に沿って延出するとともにその後端が端子保持部１３の前面（雌コネクタ２０との嵌合面１０ａ）に連結されている。また補強リブ１８の幅寸法、及び内方への突出寸法は、ロック爪部１６とほぼ同じとされている。この補強リブ１８は、その両側面形状が雄ハウジング１１を樹脂成形する際に前方へ型抜きされる金型により成形され、前面形状が上方へ型抜きされる金型、つまりロック進入空間１７を成形する金型により成形されている。
【００１６】
この補強リブ１８の前面１８ａ（ロック爪部１６との対向面）における両側端の角部分には、図２及び図１２に示すように、それぞれ面取りされることでテーパ状をなす案内面１９が形成されている。この案内面１９は、嵌合時にロックアーム４５の両アーム部４６における内縁部が摺接可能とされ、これにより雌コネクタ２０の嵌合動作を案内可能とされている。ロック進入空間１７は、後端側に行くに連れて次第に幅寸法が広くなるよう形成されており、両側面１７ａが上記案内面１９よりも緩やかなテーパ状に形成されている。ロック進入空間１７の側面１７ａと、対向する案内面１９との間の距離は、仮に側面１７ａが前後方向に沿って真っ直ぐだった場合と比較すると、広くなっている。従って、樹脂成形時に上方に型抜きされる金型のうち、これらロック進入空間１７の側面１７ａと案内面１９との間に進入する部分について、必要な強度が得られる十分な太さを確保することができる。
【００１７】
さて、雌ハウジング２１の外周面のうち下面（ロックアーム４５を設けた面とは異なる面）には、図３及び図１０に示すように、雌ハウジング２１の嵌合深さを規制可能なストッパ部５２が下方へ突出して設けられている。ストッパ部５２は、幅方向について所定の間隔を空けた位置に一対配されるとともに、その後端が指掛け部５１に対して連結されている。ストッパ部５２の前面は、上下方向に沿ってほぼ真っ直ぐに形成されている。このストッパ部５２の長さ寸法は、雌ハウジング２１をフード部１４内に嵌合し、その嵌合深さが正規深さに達したときに、フード部１４の下部の前端面に対して突き当たるような大きさに設定されており、これにより雌ハウジング２１が正規深さ以上にフード部１４内に押し込まれる事態が防がれるようになっている。
【００１８】
本実施形態は以上のような構造であり、続いてその作用を説明する。雌コネクタ２０の組み付けにあたっては、図７及び図８に示すように、雌ハウジング２１に対してフロントリテーナ２３を仮係止位置に装着してから、各雌端子金具２２を各キャビティ２４内に後方から挿入する。挿入途中では、雌端子金具２２によってランス２６が押圧されて撓み空間２７内に退避しつつ撓み変形される。雌端子金具２２が正規深さに達すると、図９に示すように、ランス２６が復元して係止孔内に進入するとともにその孔縁に係止することで雌端子金具２２が抜け止め保持される。その後、図１０及び図１１に示すように、フロントリテーナ２３を本係止位置へ押し込むと、撓み規制部３８が撓み空間２７内に進入するとともにランス２６の撓み変形が規制されることで、雌端子金具２２の保持力が増強される。
【００１９】
別途に組み付けた雄コネクタ１０を、図１０に示すように、基板Ｋ及びケースＣに取り付けた後、ケースＣ外から雌コネクタ２０を嵌合する作業を行う。雌ハウジング２１をフード部１４内に嵌合すると、両ガイドリブ５０が両ガイド溝部１４ａ内に、両保護壁４９が両受け入れ溝部１５ａ内に進入して嵌合動作が案内される。この過程では、両アーム部４６間にロック爪部１６が進入した後、図１３及び図１４に示すように、補強リブ１８が進入することになるが、このとき前面１８ａの両側端部に形成された両案内面１９が両アーム部４６の内縁部に摺接することで、雌ハウジング２１が補強リブ１８に対して引っ掛かることなく円滑に嵌合が進行する。所定深さまで嵌合が進むと、係止部４７の前面がロック爪部１６の前面に摺接して下方へ押圧されるとともに、図１５に示すように、ロックアーム４５が一旦下方へ弾性変形される。
【００２０】
そして、両ハウジング１１，２１が正規深さまで嵌合されると、図１６及び図１７に示すように、ロックアーム４５が復元して係止部４７がロック進入空間１７内に進入するとともにその後面がロック爪部１６の後面に対して係止することで、両ハウジング１１，２１が嵌合状態から離脱不能に保持される。正規深さに達すると、両コネクタ１０，２０の嵌合面１０ａ，２０ａ同士が当接可能とされるとともに、ストッパ部５２の前面がフード部１４の前端面に対して突き当てられる。このとき、雄雌両端子金具１２，２２は、正規に導通接続される。また補強リブ１８は、全長にわたって両アーム部４６間に進入するとともに、その前面１８ａが係止部４７の前面と対向して配される。またこの正規嵌合状態では、指掛け部５１とフード部１４の前端面との間には、離脱作業時に作業者が指掛け部５１に指を掛け易いように所定の隙間が空けられている。
【００２１】
ところで、例えば雄コネクタ１０と雌コネクタ２０とで製造するメーカーが異なる場合などでは、図１８に示すように、フード部１４の長さ寸法Ｌ´が上記したように雌コネクタ２０に適合した長さ寸法Ｌ（図１０）以上とされる場合がある。その場合には、両コネクタ１０，２０を正規深さまで嵌合した状態でも、図１９に示すように、両コネクタ１０，２０の嵌合面１０ａ，２０ａは互いに当接せず、離間して配されるとともにその間には所定の隙間Ｓが形成されることになる。このため、雌ハウジング２１が正規深さからさらに押し込まれて、接続した両端子金具１２，２２に悪影響が及ぶことが懸念される。なお、ロックアーム４５の後端部には、操作部４８が突設されているため、この操作部４８がフード部１４に対して突き当て可能とされてはいるものの、操作部４８は、そもそもロックアーム４５を解除操作するためのものであって正規深さに達したときにフード部１４に突き当たるような設定にされているとは限らず、仮にそのような設定であっても突き当て時に作用する力によってロックアーム４５が弾性変形させられて嵌合の進行が許容されることになるため、いずれにしても両コネクタ１０，２０の嵌合深さを正規深さに規制するのは困難である。
【００２２】
ところが、両コネクタ１０，２０が正規深さに達したときには、雌ハウジング２１に設けた両ストッパ部５２の前面がフード部１４の下部の前端面に対して突き当たることで、それ以上の嵌合の進行が規制される。このストッパ部５２は、弾性変形するロックアーム４５ではなく雌ハウジング２１の外周面である下面に設けられているので、雌ハウジング２１がフード部１４内に過度に進入する事態を確実に防ぐことができる。これにより、両端子金具１２，２２の接続深さが深くなり過ぎて変形するなどの事態が確実に防止される。
【００２３】
＜実施形態２＞
本発明の実施形態２を図２０ないし図２２によって説明する。この実施形態２では、雄ハウジング１１における補強リブを除去するとともにロック進入空間１７Ａを後方へ開口する形態としたものにおいて、ロックアーム４５Ａの構造を変更したものを示す。なおこの実施形態２では、上記した実施形態１と同様の構造、作用及び効果について重複する説明は省略する。
【００２４】
ロック進入空間１７Ａは、図２０に示すように、ロック爪部１６の後面から後方へ開口する形態とされ、端子保持部１３の上端部を前後に貫通して形成されている。このロック進入空間１７Ａは、雄ハウジング１１を樹脂成形する際に後方へ型抜きされる金型によって成形されている。ロック進入空間１７Ａは、その天井面が上壁１５の内面１５ｂとほぼ面一状となる深さに形成されており、この上壁１５の内面１５ｂの高さ位置は、自然状態とされたロックアーム４５Ａのアーム部４６Ａの上面位置とほぼ同じに設定されている。
【００２５】
ロックアーム４５Ａは、雌ハウジング２１の上面の前端部から突出する片持ち状をなす１本の幅広なアーム部４６Ａを備えており、アーム部４６Ａの途中には、ロック爪部１６に対して係止可能な係止部４７Ａが設けられている。係止部４７Ａは、アーム部４６Ａにおける幅方向略中央位置に配されている。アーム部４６Ａの上面には、雌ハウジング２１を樹脂成形する際に係止部４７Ａを成形するための金型を前後に型抜きする都合上、前後に開放する形態の型抜き溝５３，５４が形成されており、これら型抜き溝５３，５４によってアーム部４６Ａが部分的に薄肉状に形成されている。このアーム部４６Ａは、自然状態ではほぼ水平をなしている。またアーム部４６Ａの後端部には、上方へ突出する操作部４８Ａが設けられている。そして、係止部４７Ａは、その上端面４７Ａａがアーム部４６Ａの上面位置よりも上方へ突出するように形成されている。従って、係止部４７Ａの上端面４７Ａａの高さ位置は、フード部１４の上壁１５の内面１５ｂよりも高く設定されていることになる。また係止部４７Ａの前後面は、上記した実施形態１のものと同様の形状とされる。
【００２６】
図２０に示す状態から雌ハウジング２１をフード部１４内に嵌合させると、係止部４７Ａの前面がロック爪部１６の前面に摺接されることで、図２１に示すように、ロックアーム４５Ａが下方へ弾性変形される。そして、雌ハウジング２１が正規深さまで嵌合されると、図２２に示すように、係止部４７Ａがロック爪部１６の後方位置に達してロック進入空間１７Ａ内に進入するとともに、ロックアーム４５Ａが復動する。このとき、係止部４７Ａの上端面４７Ａａがフード部１４の上壁１５の内面１５ｂ（ロック進入空間１７Ａの天井面）に衝合することで大きな打圧音が発生するので、作業者に両コネクタ１０，２０が正規深さまで嵌合された状況を確実に知らせることができる。このとき、ロックアーム４５Ａは、自然状態まで完全には復動せず、後端側をやや下げた姿勢で僅かに弾性変形した状態とされる。またこのとき、ロック爪部１６は、アーム部４６Ａの上面とは非接触とされ、所定の隙間が空けられている。
【００２７】
ところで、ロックアーム４５Ａを完全には復動させずに大きな打圧音を得るには、例えばロック爪部１６の下方への突出量を増加させ、ロック爪部１６をアーム部４６Ａの上面に衝合させることが考えられる。ところが、そうすると嵌合過程においてロックアーム４５Ａが大きく弾性変形することになるため、それに伴って嵌合に必要な操作力、つまり嵌合力が増加するという問題が生じる。逆に、係止部４７Ａの前後でアーム部４６Ａの厚み寸法（型抜き溝５３，５４の溝深さ）を変更し、アーム部４６Ａのうち係止部４７Ａに対する後側部分を前側部分よりも厚みを増す設定とすることが考えられるが、そうすると今度はアーム部４６Ａにおける厚みを変更した境界位置において弾性変形時に応力集中することが懸念される。これに対し、本実施形態では、係止部４７Ａの高さ寸法を増加させ、その上端面４７Ａａをフード部１４の上壁１５の内面１５ｂに衝合させることで大きな打圧音を得るようにしたから、上記のような嵌合力が増大化したり、アーム部４６Ａに応力集中が生じるといった問題が生じる事態を回避することができる。
【００２８】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）ストッパ部の配設位置について、雌ハウジングの外周面のうち下面以外にも、上面や側面に変更しても構わない。またストッパ部の数・形状などについても任意に変更可能である。
【００２９】
（２）上記した実施形態２について、ロックアームの構造を実施形態１と同様の構造としたものも本発明に含まれる。また実施形態２の変形例として、係止部の高さ位置を実施形態１から変更せず、ロック進入空間の天井面を低く設定して係止部を衝合させるようにしてもよい。
（３）上記した実施形態では、雄コネクタが基板及びケースに取り付けられるものを示したが、基板やケースに取り付けられないタイプのコネクタにも本発明は適用可能である。
（４）雄雌の端子金具の本数については、任意に変更可能である。またロックアームの形状についても任意に変更可能である。
【図面の簡単な説明】
【００３０】
【図１】本発明の実施形態１に係る雄ハウジングの正面図
【図２】雄ハウジングの平面図
【図３】雌ハウジングの正面図
【図４】雌ハウジングの平面図
【図５】雌ハウジングの側面図
【図６】フロントリテーナの正面図
【図７】フロントリテーナを仮係止位置に装着した雌ハウジングに雌端子金具を挿入する前の状態を示す側断面図
【図８】フロントリテーナを仮係止位置に装着した雌ハウジングの側面図
【図９】フロントリテーナを仮係止位置に装着した雌ハウジングに雌端子金具を挿入した状態を示す側断面図
【図１０】フロントリテーナを本係止位置とした雌ハウジングに雄ハウジングを嵌合する前の状態を示す側断面図
【図１１】フロントリテーナを本係止位置とした雌ハウジングの側面図
【図１２】両ハウジングを嵌合する前の状態を示す平断面図
【図１３】両ハウジングを嵌合する途中の状態を示す平断面図
【図１４】嵌合途中における補強リブとロックアームとの関係を示す部分正断面図
【図１５】両ハウジングを嵌合する途中の状態を示す側断面図
【図１６】両ハウジングを正規深さまで嵌合した状態を示す側断面図
【図１７】両ハウジングを正規深さまで嵌合した状態を示す平断面図
【図１８】フード部が雌コネクタに適合した長さ寸法よりも長い場合で、両ハウジングを嵌合する前の状態を示す側断面図
【図１９】両ハウジングを正規深さまで嵌合した状態を示す側断面図
【図２０】本発明の実施形態２に係る両ハウジングを嵌合する前の状態を示す側断面図
【図２１】両ハウジングを嵌合する途中の状態を示す側断面図
【図２２】両ハウジングを正規深さまで嵌合した状態を示す側断面図
【符号の説明】
【００３１】
１１…雄ハウジング（一方のコネクタハウジング）
１４…フード部
１６…ロック爪部（ロック部）
２１…雌ハウジング（他方のコネクタハウジング）
４５…ロックアーム
５２…ストッパ部
【図１】
2005327614.tif 000003
【図２】
2005327614.tif 000004
【図３】
2005327614.tif 000005
【図４】
2005327614.tif 000006
【図５】
2005327614.tif 000007
【図６】
2005327614.tif 000008
【図７】
2005327614.tif 000009
【図８】
2005327614.tif 000010
【図９】
2005327614.tif 000011
【図１０】
2005327614.tif 000012
【図１１】
2005327614.tif 000013
【図１２】
2005327614.tif 000014
【図１３】
2005327614.tif 000015
【図１４】
2005327614.tif 000016
【図１５】
2005327614.tif 000017
【図１６】
2005327614.tif 000018
【図１７】
2005327614.tif 000019
【図１８】
2005327614.tif 000020
【図１９】
2005327614.tif 000021
【図２０】
2005327614.tif 000022
【図２１】
2005327614.tif 000023
【図２２】
2005327614.tif 000024